(57)【特許請求の範囲】
【請求項１】
原稿から画像データを読み取る読取手段において原稿から画像データを読み取る際の設定情報を設定するための設定手段と、
前記設定手段において設定されている複数の設定情報の設定内容の組み合わせに基づいて生成された１つの画像を、原稿を前記読取手段にセットする際に再確認すべき複数の設定内容を複合的に示すための案内画像として利用者に表示するよう制御する表示制御手段とを備え、
前記読取手段は、複数枚の原稿を順次送り出して読み取ることが可能な自動原稿送り装置と、１枚の原稿のみをセットして読み取ることが可能な単原稿読取装置とを備えており、
前記表示制御手段は、前記自動原稿送り装置および前記単原稿読取装置の動作状態に基づいて、利用者に表示するセット方法を変化させる情報処理装置。
【請求項２】
前記表示制御手段は、設定されている複数の設定情報の設定内容の組み合わせに基づいて生成された画像を表示するよう制御する請求項１記載の情報処理装置。
【請求項３】
前記表示制御手段は、前記設定情報の設定内容が変更される毎に、利用者に表示するセット方法を変化させて表示するよう制御する請求項１または２記載の情報処理装置。
【請求項４】
前記設定情報は、前記読取手段において原稿から画像データを読み取るための読取り処理に関する設定情報である請求項１から３のいずれか１項記載の情報処理装置。
【請求項５】
前記設定情報は、原稿のセット方向、原稿種類、両面読取りの指定有無、読み取り原稿サイズ、読み取りカラーモード、読み取り解像度、二次元コードの使用有無のうちの少なくとも２つ以上の情報を含む請求項１から４のいずれか１項記載の情報処理装置。
【請求項６】
複数枚の原稿を順次送り出して読み取ることが可能な自動原稿送り装置と、１枚の原稿のみをセットして読み取ることが可能な単原稿読取装置とを備え、原稿から画像データを読み取る読取手段と、
前記読取手段において原稿から画像データを読み取る際の設定情報を設定するための設定手段と、
前記設定手段において設定されている複数の設定情報の設定内容の組み合わせに基づいて生成された１つの画像を、原稿を前記読取手段にセットする際に再確認すべき複数の設定内容を複合的に示すための案内画像として利用者に表示するよう制御する表示制御手段とを備え、
前記表示制御手段は、前記自動原稿送り装置および前記単原稿読取装置の動作状態に基づいて、利用者に表示するセット方法を変化させる画像読取装置。
【請求項７】
複数枚の原稿を順次送り出して読み取ることが可能な自動原稿送り装置と、１枚の原稿のみをセットして読み取ることが可能な単原稿読取装置とを備え、原稿から画像データを読み取る読取手段と、
前記読取手段において原稿から画像データを読み取る際の設定情報を設定するための設定手段と、
前記設定手段において設定されている複数の設定情報の設定内容の組み合わせに基づいて生成された１つの画像を、原稿を前記読取手段にセットする際に再確認すべき複数の設定内容を複合的に示すための案内画像として利用者に表示するよう制御する表示制御手段と、
前記読取手段により読み取られた画像データまたは出力指示された画像データに基づく画像を記録媒体上に出力する出力手段とを備え、
前記表示制御手段は、前記自動原稿送り装置および前記単原稿読取装置の動作状態に基づいて、利用者に表示するセット方法を変化させる画像形成装置。
【請求項８】
複数枚の原稿を順次送り出して読み取ることが可能な自動原稿送り装置と、１枚の原稿のみをセットして読み取ることが可能な単原稿読取装置とを備え原稿から画像データを読み取る読取手段において、原稿から画像データを読み取る際の設定情報を設定するための設定ステップと、
前記設定ステップにおいて設定された複数の設定情報の設定内容の組み合わせに基づいて生成された１つの画像を、原稿を前記読取手段にセットする際に再確認すべき複数の設定内容を複合的に示すための案内画像として利用者に表示するよう制御する際に、前記自動原稿送り装置および前記単原稿読取装置の動作状態に基づいて、利用者に表示するセット方法を変化させる表示制御ステップと、
をコンピュータに実行させるためのプログラム。
【発明の詳細な説明】
【技術分野】
【０００１】
本発明は、情報処理装置、画像読取装置、画像形成装置およびプログラムに関する。
【背景技術】
【０００２】
特許文献１には、所定の載置向きで載置された原稿の画像データにより得られるプレビュー画像を、予め設定された向きでタッチパネル上に表示するようにした操作装置が開示されている。
【先行技術文献】
【特許文献】
【０００３】
【特許文献１】特開２０１２−１１４７９２号公報
【発明の概要】
【発明が解決しようとする課題】
【０００４】
セットされた原稿から画像データを読み取るような画像読取装置では、スキャン処理の各種パラメータを設定する際に設定内容を画像で表示して利用者が設定内容を容易に把握することができるようにしたユーザインタフェースが用いられているものがある。
【０００５】
しかし、近年では、スキャン機能の増加に伴い様々なパラメータを設定可能となってきているため、ユーザが原稿をセットする際に注意しなければならない事項も増加している。
【０００６】
本発明の目的は、原稿から画像データを読み取る際の設定情報に注意すべき複数の設定内容が設定されている場合でも、利用者に１つの画像を表示するだけで原稿を画像読取手段にセットする際の注意喚起を図ることが可能な情報処理装置、画像読取装置、画像形成装置およびプログラムを提供することである。
【課題を解決するための手段】
【０００７】
［情報処理装置］
請求項１に係る本発明は、原稿から画像データを読み取る読取手段において原稿から画像データを読み取る際の設定情報を設定するための設定手段と、
前記設定手段において設定されている複数の設定情報の設定内容の組み合わせに基づいて生成された１つの画像を、原稿を前記読取手段にセットする際に再確認すべき複数の設定内容を複合的に示すための案内画像として利用者に表示するよう制御する表示制御手段とを備え、
前記読取手段は、複数枚の原稿を順次送り出して読み取ることが可能な自動原稿送り装置と、１枚の原稿のみをセットして読み取ることが可能な単原稿読取装置とを備えており、
前記表示制御手段は、前記自動原稿送り装置および前記単原稿読取装置の動作状態に基づいて、利用者に表示するセット方法を変化させる情報処理装置である。
【０００８】
請求項２に係る本発明は、前記表示制御手段が、設定されている複数の設定情報の設定内容の組み合わせに基づいて生成された画像を表示するよう制御する請求項１記載の情報処理装置である。
【０００９】
請求項３に係る本発明は、前記表示制御手段が、前記設定情報の設定内容が変更される毎に、利用者に表示するセット方法を変化させて表示するよう制御する請求項１または２記載の情報処理装置である。
【００１０】
請求項４に係る本発明は、前記設定情報が、前記読取手段において原稿から画像データを読み取るための読取り処理に関する設定情報である請求項１から３のいずれか１項記載の情報処理装置である。
【００１１】
請求項５に係る本発明は、前記設定情報が、原稿のセット方向、原稿種類、両面読取りの指定有無、読み取り原稿サイズ、読み取りカラーモード、読み取り解像度、二次元コードの使用有無のうちの少なくとも２つ以上の情報を含む請求項１から４のいずれか１項記載の情報処理装置である。
【００１３】
[画像読取装置]
請求項６に係る本発明は、複数枚の原稿を順次送り出して読み取ることが可能な自動原稿送り装置と、１枚の原稿のみをセットして読み取ることが可能な単原稿読取装置とを備え、原稿から画像データを読み取る読取手段と、
前記読取手段において原稿から画像データを読み取る際の設定情報を設定するための設定手段と、
前記設定手段において設定されている複数の設定情報の設定内容の組み合わせに基づいて生成された１つの画像を、原稿を前記読取手段にセットする際に再確認すべき複数の設定内容を複合的に示すための案内画像として利用者に表示するよう制御する表示制御手段とを備え、
前記表示制御手段は、前記自動原稿送り装置および前記単原稿読取装置の動作状態に基づいて、利用者に表示するセット方法を変化させる画像読取装置である。
【００１４】
[画像形成装置]
請求項７に係る本発明は、複数枚の原稿を順次送り出して読み取ることが可能な自動原稿送り装置と、１枚の原稿のみをセットして読み取ることが可能な単原稿読取装置とを備え、原稿から画像データを読み取る読取手段と、
前記読取手段において原稿から画像データを読み取る際の設定情報を設定するための設定手段と、
前記設定手段において設定されている複数の設定情報の設定内容の組み合わせに基づいて生成された１つの画像を、原稿を前記読取手段にセットする際に再確認すべき複数の設定内容を複合的に示すための案内画像として利用者に表示するよう制御する表示制御手段と、
前記読取手段により読み取られた画像データまたは出力指示された画像データに基づく画像を記録媒体上に出力する出力手段とを備え、
前記表示制御手段は、前記自動原稿送り装置および前記単原稿読取装置の動作状態に基づいて、利用者に表示するセット方法を変化させる画像形成装置である。
【００１５】
[プログラム]
請求項８に係る本発明は、複数枚の原稿を順次送り出して読み取ることが可能な自動原稿送り装置と、１枚の原稿のみをセットして読み取ることが可能な単原稿読取装置とを備え原稿から画像データを読み取る読取手段において、原稿から画像データを読み取る際の設定情報を設定するための設定ステップと、
前記設定ステップにおいて設定された複数の設定情報の設定内容の組み合わせに基づいて生成された１つの画像を、原稿を前記読取手段にセットする際に再確認すべき複数の設定内容を複合的に示すための案内画像として利用者に表示するよう制御する際に、前記自動原稿送り装置および前記単原稿読取装置の動作状態に基づいて、利用者に表示するセット方法を変化させる表示制御ステップとをコンピュータに実行させるためのプログラムである。
【発明の効果】
【００１６】
請求項１に係る本発明によれば、原稿から画像データを読み取る際の設定情報に注意すべき複数の設定内容が設定されている場合でも、利用者に１つの画像を表示するだけで原稿を画像読取手段にセットする際の注意喚起を図ることが可能な情報処理装置を提供することができる。
また、請求項１に係る本発明によれば、自動原稿送り装置または単原稿読取装置が正常に動作しない場合、正常に動作しない装置に原稿をセットしないよう利用者に促すことができる。
【００１７】
請求項２に係る本発明によれば、原稿から画像データを読み取る際の設定情報に注意すべき複数の設定内容が設定されている場合でも、複数の設定情報の設定内容の組み合わせ基づいて生成された１つの画像を利用者に表示するだけで原稿を画像読取手段にセットする際の注意喚起を図ることが可能な情報処理装置を提供することができる。
【００１８】
請求項３に係る本発明によれば、請求項１または２に係る本発明により得られる効果に加えて、設定情報の設定内容が変更される毎に、利用者に対して原稿を画像読取手段にセットする際の注意喚起を図ることができる。
【００１９】
請求項４に係る本発明によれば、請求項１から３に係る本発明により得られる効果に加えて、利用者が原稿をセットする際に誤り易い設定情報について、利用者に対して原稿を画像読取手段にセットする際の注意喚起を図ることができる。
【００２０】
請求項５に係る本発明によれば、原稿から画像データを読み取る際の、原稿のセット方向、原稿種類、両面読取りの指定有無、読み取り原稿サイズ、読み取りカラーモード、読み取り解像度、二次元コードの使用有無の設定情報に注意すべき複数の設定内容が設定されている場合でも、利用者に１つの画像を表示するだけで原稿を画像読取手段にセットする際の注意喚起を図ることが可能な情報処理装置を提供することができる。
【００２２】
請求項６に係る本発明によれば、原稿から画像データを読み取る際の設定情報に注意すべき複数の設定内容が設定されている場合でも、利用者に１つの画像を表示するだけで原稿を画像読取手段にセットする際の注意喚起を図ることが可能な画像読取装置を提供することができる。
また、請求項６に係る本発明によれば、自動原稿送り装置または単原稿読取装置が正常に動作しない場合、正常に動作しない装置に原稿をセットしないよう利用者に促すことができる。
【００２３】
請求項７に係る本発明によれば、原稿から画像データを読み取る際の設定情報に注意すべき複数の設定内容が設定されている場合でも、利用者に１つの画像を表示するだけで原稿を画像読取手段にセットする際の注意喚起を図ることが可能な画像形成装置を提供することができる。
また、請求項７に係る本発明によれば、自動原稿送り装置または単原稿読取装置が正常に動作しない場合、正常に動作しない装置に原稿をセットしないよう利用者に促すことができる。
【００２４】
請求項８に係る本発明によれば、原稿から画像データを読み取る際の設定情報に注意すべき複数の設定内容が設定されている場合でも、利用者に１つの画像を表示するだけで原稿を画像読取手段にセットする際の注意喚起を図ることが可能なプログラムを提供することができる。
また、請求項８に係る本発明によれば、自動原稿送り装置または単原稿読取装置が正常に動作しない場合、正常に動作しない装置に原稿をセットしないよう利用者に促すことができる。
【図面の簡単な説明】
【００２５】
【図１】本発明の一実施形態の画像形成システムのシステム構成を示す図である。
【図２】本発明の一実施形態における画像形成装置１０のハードウェア構成を示すブロック図である。
【図３】本発明の一実施形態における画像形成装置１０の機能構成を示すブロック図である。
【図４】本発明の一実施形態の画像形成装置１０により原稿の画像データを読み取るスキャン処理を行う際の動作を説明するためのフローチャートである。
【図５】文書種類の選択を入力するために、画像形成装置１０の操作パネル６１上において表示される表示画面例を示す図である。
【図６】図５に示した表示画面において、文書種類として「Ａ社間契約書」が選択された場合の表示画面例を示す図である。
【図７】図６の表示画面において文書種類として「Ａ社間契約書」が選択された場合に表示される表示画面例を示す図である。
【図８】図７に示したスキャンパラメータの設定内容を確認してＯＫボタンを押下した場合に表示される案内画像の一例を示す図である。
【図９】スキャンパラメータの設定内容と、スキャンパラメータの設定内容に基づく案内画像とを１つの表示画面により示した場合の画面例を示す図である。
【図１０】スキャンパラメータの設定内容が変わることにより案内画像が変化する様子を説明するための表示画面例を示す図である。
【図１１】スキャンパラメータの設定内容が変わることにより案内画像が変化する様子を説明するための表示画面例を示す図である。
【図１２】スキャンパラメータの設定内容が変わることにより案内画像が変化する様子を説明するための表示画面例を示す図である。
【図１３】スキャンパラメータの設定内容が変わることにより案内画像が変化する様子を説明するための表示画面例を示す図である。
【図１４】スキャンパラメータの設定内容が変わることにより案内画像が変化する様子を説明するための表示画面例を示す図である。
【図１５】画像形成装置１０の本体から脱着可能なタブレット端末装置７０の外観を示す図である。
【図１６】図１５に示したタブレット端末装置７０の機能構成を示すブロック図である。
【発明を実施するための形態】
【００２６】
次に、本発明の実施の形態について図面を参照して詳細に説明する。
【００２７】
図１は本発明の一実施形態の画像形成システムの構成を示す図である。
【００２８】
本発明の一実施形態の画像形成システムは、図１に示されるように、ネットワーク３０により相互に接続された画像形成装置１０、端末装置２０およびサーバ装置５０により構成される。端末装置２０は、印刷データを生成して、ネットワーク３０経由にて生成した印刷データを画像形成装置１０に対して送信する。画像形成装置１０は、端末装置２０から送信された印刷データを受け付けて、印刷データに応じた画像を用紙上に出力する。なお、画像形成装置１０は、印刷（プリント）機能、スキャン機能、複写（コピー）機能、ファクシミリ機能等の複数の機能を有するいわゆる複合機と呼ばれる装置である。
【００２９】
また、サーバ装置５０は、端末装置２０および画像形成装置１０からアクセス可能な構成となっており、画像形成装置１０において読み取られた画像データを格納したり、格納している画像データを端末装置２０に転送する機能を備えている。
【００３０】
次に、本実施形態の画像形成システムにおける画像形成装置１０のハードウェア構成を図２に示す。
【００３１】
画像形成装置１０は、図２に示されるように、ＣＰＵ１１、メモリ１２、ハードディスクドライブ（ＨＤＤ）等の記憶装置１３、ネットワーク３０を介して外部の装置等との間でデータの送信及び受信を行う通信インタフェース（ＩＦ）１４、タッチパネル又は液晶ディスプレイ並びにキーボードを含むユーザインタフェース（ＵＩ）装置１５、スキャナ１６、プリントエンジン１７を有する。これらの構成要素は、制御バス１８を介して互いに接続されている。
【００３２】
プリントエンジン１７は、帯電、露光、現像、転写、定着などの工程を経て印刷用紙等の記録媒体上に画像を印刷する。
【００３３】
ＣＰＵ１１は、メモリ１２または記憶装置１３に格納された制御プログラムに基づいて所定の処理を実行して、画像形成装置１０の動作を制御する。なお、本実施形態では、ＣＰＵ１１は、メモリ１２または記憶装置１３内に格納された制御プログラムを読み出して実行するものとして説明したが、当該プログラムをＣＤ−ＲＯＭ等の記憶媒体に格納してＣＰＵ１１に提供することも可能である。
【００３４】
図３は、上記の制御プログラムが実行されることにより実現される画像形成装置１０の機能構成を示すブロック図である。
【００３５】
本実施形態の画像形成装置１０は、図３に示されるように、表示部３１と、表示制御部３２と、制御パラメータ設定部３３と、主制御部３４と、画像読取部３５と、データ転送部３６と、印刷ジョブ受信部３７と、ラスタ画像生成部３８と、出力部３９とを備えている。
【００３６】
画像読取部３５は、原稿から画像データを読み取る読取手段として機能する。
【００３７】
データ転送部３４は、画像読取部３５において読み取られた画像データを指定された宛先に転送する。
【００３８】
印刷ジョブ受信部３７は、端末装置２０から送信されてきた印刷ジョブ（印刷指示）を受信する。
【００３９】
そして、ラスタ画像生成部３８は、印刷ジョブ受信部３７により受信された印刷ジョブや画像読取部３５により読み取られた画像データに基づいて、印刷を実行するためのラスタ形式の印刷データを生成する。
【００４０】
出力部３９は、画像読取部３５により読み取られた画像データや印刷ジョブ受信部３８７より受信された印刷ジョブに基づく画像を印刷用紙等の記録媒体上に出力するための構成であり、具体的にはラスタ画像生成部３８により生成されたラスタ形式の印刷データを記録媒体上に印刷する処理を実行する。
【００４１】
制御パラメータ設定部３３は、原稿から画像データを読み取る画像読取部３５において原稿から画像データを読み取る際のスキャンパラメータ、印刷パラメータ等の制御パラメータ（設定情報）を設定するための設定手段である。
【００４２】
ここで、印刷パラメータとは、印刷部数、両面印刷／片面印刷の選択、カラー印刷／白黒印刷の選択、集約印刷の有無等の印刷処理に関する設定情報である。また、スキャンパラメータとは、原稿から画像データを読み取るための読取り処理に関する設定情報、読み取った画像データの加工処理に関する設定情報、読み取った画像データの転送先に関する設定情報等である。スキャンパラメータの具体的な内容は、例えば、原稿のセット方向、原稿種類、両面読取りの指定有無、読み取り原稿サイズ、読み取りカラーモード、読み取り解像度等である。
【００４３】
また、スキャンパラメータは、上記で挙げたものに限定されるものではなく、自動正立指定の有無、枠消し処理の有無、ＯＣＲ処理の有無、白紙除去機能の有無、傾き補正処理の有無、ファイルフォーマット種類、拡大／圧縮処理の有無、暗号化の有無、電子署名の付与の有無、転送形式（電子メール、ファクシミリ送信、フォルダ保管）、付与するファイル名等の様々な設定についても同様に適用することが可能である。
【００４４】
表示部３１は、タッチパネル等により構成され、ユーザ（利用者）に対して画像形成装置１０の動作状態や設定されている各種制御パラメータの内容等を表示する。
【００４５】
表示制御部３２は、制御パラメータ設定部３３において設定されている複数のスキャンパラメータ（設定情報）に基づいて、原稿を画像読取部３１にセットする際のセット方法を、表示部３１を介してユーザに表示するよう制御する。
【００４６】
具体的には、表示制御部３１は、設定されている複数のスキャンパラメータの設定内容の組み合わせに基づいて生成された画像を、原稿セットのための案内画像として表示部３１に表示するような制御を行う。
【００４７】
そして、表示制御部３２は、スキャンパラメータの設定内容が変更される毎に、案内画像としてユーザに表示するセット方法を変化させて表示部３１に表示するような制御を行うようにしても良いし、各種のスキャンパラメータの設定が行われた後に設定されたスキャンパラメータの設定内容に応じて一括して案内画像をユーザに表示するようにしても良い。
【００４８】
なお、この案内画像には、原稿のセット方法に関するアニメーション表示のようなイメージ画像だけでなく、原稿のセット方法を説明するためのテキスト画像も含まれるものとする。
【００４９】
主制御部３４は、制御パラメータ設定部３３において設定された制御パラメータに基づいて、画像読取部３５や出力部３９等を制御している。また、制御パラメータ設定部３３において設定された制御パラメータは、主制御部３４から表示制御部３２にも伝達される。
【００５０】
なお、本実施形態における表示制御部３２は、各種のスキャンパラメータのうち、画像読取部３５において原稿から画像データを読み取るための読取り処理に関するスキャンパラメータに基づいて、原稿をセットする際の注意喚起を行うための案内画像を表示部３１に表示するような制御を行う。
【００５１】
つまり、本実施形態の表示制御部３２により表示部３１に表示される案内画像とは、現在設定されている複数のスキャンパラメータの内容を把握可能な画像であり、ユーザが原稿をセットする際に、設定したスキャン処理の内容とこれからセットしようとする原稿の内容とに矛盾が無いかをユーザに再確認してもらうための画像である。
【００５２】
例えば、表示部３１に表示された案内画像において、ＱＲコード（登録商標）等の二次元コードを使用するスキャンモードが設定されていることが示されていれば、ユーザがセットしようとする原稿にはＱＲコードが設けられていない場合、設定されているスキャンパラメータとセットしようとする原稿に矛盾があることを把握することができる。
【００５３】
また、表示部３１におい表示された案内画像において両面読取りモードが設定されていることが示されていれば、ユーザがセットしようとする原稿が片面原稿である場合、設定されているスキャンパラメータとセットしようとする原稿に矛盾があることを把握することができる。
【００５４】
そして、本実施形態では、この案内画像は、１つのスキャンパラメータの設定内容のみを示すものではなく、少なくとも２つ以上のスキャンパラメータの設定内容を複合的に示すものとなっている。
【００５５】
具体的には、表示制御部３２は、各種のスキャンパラメータのうち、原稿のセット方向、原稿種類、両面読取りの指定有無、読み取り原稿サイズ、読み取りカラーモード、読み取り解像度、二次元コードの使用有無のうちの少なくとも２つ以上の情報に基づく案内画像を表示部３１に表示させる。
【００５６】
また、画像読取部３５は、複数枚の原稿を順次送り出して読み取ることが可能なＤＡＤＦ（Duplex Auto Document Feeder）ユニット（自動両面原稿送り装置）と、１枚の原稿のみをセットして読み取ることが可能なプラテンユニット（単原稿読取装置）とを備えている。
【００５７】
そして、表示制御部３２は、このＤＡＤＦユニットおよびプラテンユニットの動作状態に基づいて、ユーザに表示するセット方法を変化させるようにしても良い。
【００５８】
具体的には、表示制御部３２は、ＤＡＤＦユニットに何等かの異常が発生して正常動作ができない場合には、表示部３１に表示する案内画像においてＤＡＤＦユニットは故障中であり原稿をしないようユーザに通知するような表示を行う。
【００５９】
次に、本実施形態における画像形成装置１０の動作について図面を参照して詳細に説明する。
【００６０】
図４は、画像形成装置１０により原稿の画像データを読み取るスキャン処理を行う際の動作を説明するためのフローチャートである。このフローチャートでは、原稿の文書種類毎に予めスキャンパラメータが登録されており、ユーザが原稿の文書種類を選択するだけで、自動的にその文書種類に対して登録されているスキャンパラメータが設定される場合を用いて説明する。
【００６１】
まず、スキャンアプリケーションソフトが起動されると、表示部３１においてユーザに文書種類の選択を入力するための画像が表示される。例えば、画像形成装置１０の操作パネル６１上において、図５に示すような画像が表示される。そして、ユーザがこの表示に基づいてスキャンしようとする原稿の文書種類を選択する（ステップＳ１０１）。
【００６２】
例えば、図５に示した表示画面において、図６に示すように文書種類として「Ａ社間契約書」が選択された場合を用いて説明する。なお、図６における表示画面例は、図５に示した操作パネル６１の表示内容のみを拡大して示したものである。
【００６３】
図６の表示画面では、文書種類として「Ａ社間契約書」が選択され、ＯＫボタンが押下されている。すると、図７に示すような表示画面が表示され、「Ａ社間契約書」という文書種類に対して登録されているスキャンパラメータの設定内容が表示される（ステップＳ１０２）。
【００６４】
この図７に示した表示画面例では、原稿セットの向きとして「読める向き」が設定され、ＱＲコードの有無については「有り」に設定され、両面／片面の読み取り方法については「片面」が設定されている。また、カラー／白黒の読み取り方法については「白黒」が設定され、原稿種類としては「テキスト」が設定されている。
【００６５】
そして、ユーザが、このスキャンパラメータの設定内容を確認してＯＫボタンを押下すると、図８に示すような表示画面が表示され、現在設定されているスキャンパラメータに基づいた案内画像が表示される（ステップＳ１０３）。
【００６６】
この図８に示す表示画面例では、「スタートボタンを押すと、片面でスキャンします。」という文字が表示されて、読み取り方法が「片面」であることが示されている。また、原稿をセットする向きのスキャンパラメータとしては「読める向き」が設定されているため、ＤＡＤＦユニットおよびプラテンユニットにセットされる用紙中において「Ａ」という文字画像が正立した状態で示されるとともに、「テキスト原稿を読める向きでセット」という文字が表示されているのが分かる。
【００６７】
また、テキスト原稿を読める向きでセット」という文字が表示されていることにより、原稿種類として「テキスト」が設定されていることも分かる。
【００６８】
さらに、ＤＡＤＦユニットおよびプラテンユニットにセットされる用紙中においてＱＲコードの画像が示され、「ＱＲコードを読み取ります。」という文字が表示されていることにより、ＱＲコードを読み取るモード（ＱＲコードが「有り」のモード）が設定されていることが分かる。
【００６９】
なお、このＱＲコードは、スキャン処理の際に読み取られ、画像データをＦＡＸ転送やスキャン転送する際の宛先情報として使用されたり、各種の属性情報を読み取られた画像データに付加する等の情報として用いられる。
【００７０】
また、図８では、ＤＡＤＦユニットとプラテンユニットの両方が表示されていることにより、原稿をいずれのユニットに設定しても良いことが示されている。
【００７１】
そして、ユーザが表示された原稿セット方法を参照しながら原稿を画像読取部３５にセットし、スタートボタンを押下すると（ステップＳ１０４）、画像読取部３５は、セットされたスキャンパラメータの内容に基づいてスキャン処理を実行する（ステップＳ１０５）。
【００７２】
そして、画像読取部３５において読み取られた画像データは、データ転送部３６により指定された宛先へ転送される（ステップＳ１０６）。
【００７３】
なお、図７、図８では、スキャンパラメータの設定内容と、設定されているスキャンパラメータの設定内容に基づく案内画像とを別の表示画面により示しているが、図９に示すように１つの表示画面内に両方の情報を同時に表示するようにしても良い。以下の説明では、説明内容を分かり易くするために、図９に示したようにスキャンパラメータの設定内容とその設定内容に基づく案内画像を１つの画面により表示するようにして説明を行う。
【００７４】
以下の図１０〜図１４では、スキャンパラメータの様々な設定内容により案内画像を変化する様子について説明する。
【００７５】
図１０に示した表示画面例では、図９に示した表示画面例に対して、ＱＲコードの利用有無を「有り」から「無し」に変更した場合が示されている。
【００７６】
図１０の表示画面例を参照すると、図９に示した表示画面例における案内画像からＱＲコードの画像が削除され、「ＱＲコードを読み取ります。」という文字画像が削除されているのが分かる。
【００７７】
さらに、図１１に示した表示画面例では、図１０に示した表示画面例に対して、原稿の読み取りモードを「片面」から「両面」に変更し、原稿種類が「テキスト」から「写真」に変更された場合が示されている。
【００７８】
図１１の表示画面例を参照すると、図１０に示した表示画面例における案内画像に対して、用紙の一部がめくれるような案内画像となり、「スタートボタンを押すと、片面でスキャンします。」という文字が「スタートボタンを押すと、両面でスキャンします。」という文字に変更されているのが分かる。
【００７９】
また、図１１の表示画面例では、図１０の表示画面例において表示されていた「テキスト原稿を読める向きでセット」という文字が、「写真原稿を読める向きでセット」という文字に変化しているのが分かる。さらに、原稿の正立方向を示す画像が、「Ａ」という文字画像から家の画像に変化されているのが分かる。
【００８０】
さらに図１２に示した表示画面例では、図９に示した表示画面例に対して、原稿のセット向きを「読める向き」から「左向き」に変更した場合が示されている。
【００８１】
図１２の表示画面例を参照すると、図９に示した表示画面例における案内画像から用紙の向きが９０度変更されて表示され、「テキスト原稿を読める向きでセット」という文字が「テキスト原稿を左向きでセット」という文字に変更されているのが分かる。
【００８２】
さらに図１３に示した表示画面例では、図９に示した表示画面例に対して、ＤＡＤＦユニットに異常が発生して正常動作していない場合が示されている。
【００８３】
図１３の表示画面例を参照すると、図９に示した表示画面例における案内画像からＤＡＤＦユニットの案内画像が削除されて、プラテンユニットの案内画像のみが表示されているのが分かる。また、図１３の表示画面例では、「※ＤＡＤＦユニット（自動原稿送り装置）は故障中ですので、使用できません。」という文字が表示され、ＤＡＤＦユニットには原稿をセットしないようにユーザに通知しているのが分かる。
【００８４】
さらに、図１４には、スキャンパラメータとして、ページ連写機能を設定した場合の表示画面例が示されている。
【００８５】
図１４に示した表示画面例では、ページ連写の設定内容として、「左とじ原稿（よこ書き）」が設定されているため、案内画像として「テキスト原稿を左とじ（よこ書き）でセット」という文字が表示され、冊子状の原稿を開いてプラテンユニットに押し付けるような画像を表示されている。
【００８６】
また、ページ連写機能が有効になっていることにより、原稿のセット向き、読み取りモード両面／片面のスキャンパラメータについては設定できないようになっている。
【００８７】
なお、ページ連写機能は、プラテンユニットのみでしか実現できないため、図１４に示した案内画像には、ＤＡＤＦユニットの画像は表示されていない。
【００８８】
なお、上記の説明では、図５に示したように画像形成装置１０の操作パネル６１上に、設定されたスキャンパラメータに基づく案内画像を表示する場合を用いて説明したが、その操作パネル６１の代わりに図１５に示すような、タブレット端末装置７０に設定されたスキャンパラメータに基づく案内画像を表示するようにしても良い。
【００８９】
このタブレット端末装置７０は、通常は画像形成装置１０の本体に装着して画像形成装置１０の動作を操作し、必要に応じて画像形成装置１０の本体から取り外して画像形成装置１０の動作を遠隔操作することができるような構成となっている。
【００９０】
このタブレット端末装置７０の機能構成を図１６に示す。タブレット端末装置７０は、図１６に示されるように、表示部３１と、表示制御部３２と、制御パラメータ設定部３３と、無線通信部８０とを備えている。
【００９１】
なお、図１６において、図３に示した構成要素と同じ動作を行うものについては同じ符号を付与している。つまり、タブレット端末装置７０中における、表示部３１と、表示制御部３２と、制御パラメータ設定部３３は、図３に示したものと同様の動作を行う。
【００９２】
そして、無線通信部８０は、画像形成装置１０の本体との間で近距離無線通信を行うことにより、制御パラメータ設定部３３において設定された制御パラメータの内容を画像形成装置１０の本体側に送信したり、画像形成装置１０から装置状態の情報等を受信するような動作を行っている。
【００９３】
このように、本発明は、このタブレット端末装置７０、スマートフォン、携帯電話機のような画像読取手段を備えていない情報処理装置に対しても、同様に適用することができるものである。
【００９４】
[変形例]
上記実施形態では、いわゆる複合機と呼ばれる画像形成装置１０に対して本発明を適用した場合を用いて説明したが、本発明はこれに限定されるものではなく、スキャン機能を備えた画像読取装置に対しても同様に本発明を適用することができるものである。
【００９５】
また、上記実施形態では、複数のスキャンパラメータに基づく、原稿のセット方法に関する案内画像を表示する場合について説明したが、案内画像の内容を音声によりユーザに伝達するようにしても良い。
【符号の説明】
【００９６】
１０    画像形成装置
１１    ＣＰＵ
１２    メモリ
１３    記憶装置
１４    通信インタフェース（ＩＦ）
１５    ユーザインタフェース（ＵＩ）装置
１６    スキャナ
１７    プリントエンジン
１８    制御バス
２０    端末装置
３０    ネットワーク
３１    表示部
３２    表示制御部
３３    制御パラメータ設定部
３４    主制御部
３５    画像読取部
３６    データ転送部
３７    印刷ジョブ受信部
３８    ラスタ画像生成部
３９    出力部
５０    サーバ装置
６１    操作パネル
７０    タブレット端末装置
８０    無線通信部
【図１】
0006544637.tif 000002
【図２】
0006544637.tif 000003
【図３】
0006544637.tif 000004
【図４】
0006544637.tif 000005
【図５】
0006544637.tif 000006
【図６】
0006544637.tif 000007
【図７】
0006544637.tif 000008
【図８】
0006544637.tif 000009
【図９】
0006544637.tif 000010
【図１０】
0006544637.tif 000011
【図１１】
0006544637.tif 000012
【図１２】
0006544637.tif 000013
【図１３】
0006544637.tif 000014
【図１４】
0006544637.tif 000015
【図１５】
0006544637.tif 000016
【図１６】
0006544637.tif 000017